(57)【要約】【課題】同期信号により制御動作等を行う回路が正常動作可能な装置を提供することを目的とする。【解決手段】入力される垂直同期信号の任意の期間に１期間のパルスを発生させるフレームパルス発生回路１と、このフレームパルス発生回路１からのフレームパルスを基準信号として１フレームパルス期間の水平同期信号の入力回数をカウントする第１の計数回路２と、入力される水平同期信号を倍速化する倍速回路３と、前記フレームパルス発生回路１からのフレームパルスを基準に前記倍速回路３の出力の倍速信号をカウントする第２の計数回路４と、これらの第１および第２の計数回路２、４の結果を用いてパルスを発生させるパルス発生回路５とを具備した垂直同期信号変換回路を設けた。【選択図】  図１
2004312086.tif 000002
【特許請求の範囲】
【請求項１】
インターレス信号が入力され、垂直同期信号変換回路を有する映像表示装置において、垂直同期信号変換回路は、入力される垂直同期信号の任意の期間に１期間のパルスを発生させるフレームパルス発生回路と、このフレームパルス発生回路からのフレームパルスを基準信号として１フレームパルス期間の水平同期信号の入力回数をカウントする第１の計数回路と、入力される水平同期信号を倍速化する倍速回路と、前記フレームパルス発生回路からのフレームパルスを基準に前記倍速回路の出力の倍速信号をカウントする第２の計数回路と、これらの第１および第２の計数回路の結果を用いてパルスを発生させるパルス発生回路とを具備したことを特徴とする映像表示装置。
【発明の詳細な説明】
【０００１】
【発明の属する技術分野】
本発明は、インターレス信号が入力される映像表示装置に関するものである。
【０００２】
【従来の技術】
近年、映像信号の伝達方式として、デジタル方式で伝達する方式が急速に普及、発展し続けている。このデジタル方式で映像を伝達する方法は、従来のアナログ伝達方式と異なり、転送信号の劣化が無いことが特徴である。
【０００３】
一方、アナログ方式の信号は、順次操作方式のＣＲＴ等の表示デバイスに適した方式であり、その同期信号は図２に示す一例（ＮＴＳＣ方式）のような位相関係で標準動作する。
【０００４】
しかし、デジタル方式が急速に普及するにつれ、特許文献１に示すように、様々な方式が提案され、同期信号の位相関係が図２と異なる方式も提案されている。図３にその一例（ＮＴＳＣ方式）を示しているが、デジタル放送の急速な普及により、デジタル伝送規格で送られてくる映像データを出力する回路の中には、図３に示すような、従来と異なるフォーマットの同期信号が存在する。図３の例のように、奇数・偶数フィールドで一つのまとまりであるのは、図２の例と同様である。異なる点は、どちらのフィールドも水平同期信号と垂直同期信号の位相が一致している点にある。つまり、ＮＴＳＣ方式の信号を例に挙げると、図２で示されるフォーマットの１垂直期間は、奇数フィールドも、偶数フィールドも２６２．５水平期間であるが、図３で示されるフォーマットの場合、奇数フィールドは２６３水平期間、偶数フィールドは２６２水平期間と１Ｈ期間の差が発生する。
【０００５】
このような同期信号が入力された場合、垂直同期信号を基準に動作を行う回路では、毎フィールドの周期が異なることによる不具合が発生する場合がある。すなわち、毎フィールドの垂直同期信号の期間が異なるため、同期信号基準で動作する回路では、十分にその影響を考慮した構成にする必要があり、考慮されていない場合、垂直ダンシングや、データ転送エラー、外部記憶装置制御エラー等を起こす可能性が増大する。
【０００６】
【特許文献１】
特開２０００−２２４５５０号公報
【０００７】
【発明が解決しようとする課題】
本発明はこのような課題を解決し、同期信号により制御動作等を行う回路が正常動作可能な装置を提供することを目的とするものである。
【０００８】
【課題を解決するための手段】
上記目的を達成するために本発明の映像表示装置は、入力される垂直同期信号の任意の期間に１期間のパルスを発生させるフレームパルス発生回路と、このフレームパルス発生回路からのフレームパルスを基準信号として１フレームパルス期間の水平同期信号の入力回数をカウントする第１の計数回路と、入力される水平同期信号を倍速化する倍速回路と、前記フレームパルス発生回路からのフレームパルスを基準に前記倍速回路の出力の倍速信号をカウントする第２の計数回路と、これらの第１および第２の計数回路の結果を用いてパルスを発生させるパルス発生回路とを具備した垂直同期信号変換回路を設けたものである。
【０００９】
【発明の実施の形態】
すなわち、本発明の請求項１記載の発明は、インターレス信号が入力され、垂直同期信号変換回路を有する映像表示装置において、垂直同期信号変換回路は、入力される垂直同期信号の任意の期間に１期間のパルスを発生させるフレームパルス発生回路と、このフレームパルス発生回路からのフレームパルスを基準信号として１フレームパルス期間の水平同期信号の入力回数をカウントする第１の計数回路と、入力される水平同期信号を倍速化する倍速回路と、前記フレームパルス発生回路からのフレームパルスを基準に前記倍速回路の出力の倍速信号をカウントする第２の計数回路と、これらの第１および第２の計数回路の結果を用いてパルスを発生させるパルス発生回路とを具備したことを特徴とする。
【００１０】
このような構成によれば、図３に示すようなフォーマットのインターレス信号が入力された場合、入力垂直同期信号の期間を均一にすることで、垂直同期信号を基準として動作する回路の安定動作を得ることができる。
【００１１】
以下、本発明の一実施の形態による映像表示装置について、図面を用いて説明する。
【００１２】
図１に本発明の一実施の形態による映像表示装置における垂直同期信号変換回路の構成の一例を示している。図１において、垂直同期信号変換回路は、入力される垂直同期信号の任意の期間に１期間のパルスを発生させるフレームパルス発生回路１と、このフレームパルス発生回路１からのフレームパルスを基準信号として１フレームパルス期間の水平同期信号の入力回数をカウントする第１の計数回路２と、入力される水平同期信号を倍速化する倍速回路３と、前記フレームパルス発生回路１からのフレームパルスを基準に前記倍速回路３の出力の倍速信号をカウントする第２の計数回路４と、これらの第１および第２の計数回路２、４の結果を用いてパルスを発生させるパルス発生回路５と、前記フレームパルス発生回路１とパルス発生回路５の出力の論理和をとる論理和回路６とを具備している。
【００１３】
図１に示すように、垂直同期信号は、フレームパルス発生回路１に入力される。このフレームパルス発生回路１は、フィールド判別信号がある場合は、判別信号を用いて、フレームパルスを発生し、フィールド判別信号が正規で無い場合は、直前の正規のフィールド判別信号から、垂直同期信号の対を判別し、フレームパルスを発生させる。
【００１４】
一方、水平同期信号は第１の計数回路２と倍速回路３に入力される。第１の計数回路２は、フレームパルス発生回路１からのフレームパルスを基準信号として、１フレームパルス期間の水平同期信号の入力回数をカウントする。また、第１の計数回路２は、毎フレーム毎のカウント値比較回路を具備し、現在のカウント値が、前回のカウント値と比較して差分が閾値以上の場合、入力信号が異常であると判断し、前回のカウント値を保持する回路を具備する。もちろんこの機能は、外部制御にて自由にＯＮ／ＯＦＦ可能である。
【００１５】
倍速回路３は、入力水平同期信号を整数倍する回路である。以下の説明では、２倍速を想定した回路構成を一例として説明する。倍速回路３の一例を説明すると、倍速回路３内には、計数回路と比較回路と論理和回路が具備されており、計数回路は入力水平同期信号の１水平期間のクロック数をカウントする。カウント値の下位１ビットをビットシフトさせ、カウント値を半分にした値を比較回路に入力する。比較回路は、入力値と計数回路出力値を比較し、同一ポイントでパルスを発生させる。以上の動作により、入力水平同期信号に対して、半Ｈ遅延させた、水平同期信号を得ることができる。
【００１６】
次に、前記生成半Ｈ遅延水平同期信号と入力水平同期信号の論理和を取ることで、入力信号の２逓倍の水平同期信号を得る回路が実現できる。
【００１７】
倍速回路３で、２倍速化された水平同期信号は第２の計数回路４に入力され、フレームパルス発生回路１からのフレームパルスを基準にカウントされる。第１の計数回路２、第２の計数回路４のカウント結果は、パルス発生回路５に入力され、両者の値が等しいとき、一定幅のパルスが出力される。
【００１８】
ここで、第１の計数回路２の出力は、フレームパルスが正常に入力された場合の入力水平同期信号の１フレーム期間のカウント値である。一方、第２の計数回路４の出力値は、フレームパルスを基準に入力水平同期信号の倍速信号をカウントした値である。つまり、第１の計数回路２の計数値と、第２の計数回路４の計数値が等しくなるポイントとは、フレームパルスのセンター位置と等価になる。したがって、論理和回路６において、フレームパルス発生回路１からのフレームパルスと、パルス発生回路５の出力の論理和をとることで、均一期間の垂直同期信号を得ることが実現できる。すなわち、毎フィールド毎に異なる周期の垂直同期信号を、均一な周期の垂直同期信号に変換することができる。
【００１９】
【発明の効果】
以上の説明から明らかなように、本発明によれば、不均一期間で交番入力されるインターレス信号の垂直同期信号を、均一周期に変換することができ、一定周期の垂直同期信号を基準として、動作する回路、ＬＳＩの誤動作を防止するという効果が得られる。
【図面の簡単な説明】
【図１】本発明の一実施の形態による映像表示装置における垂直同期信号変換回路を示す回路図
【図２】一般的なインターレス信号（ＮＴＳＣ方式）の同期信号位相関係を示す波形図
【図３】新しい方式のインターレス信号（ＮＴＳＣ方式）の同期信号位相関係を示す波形図
【符号の説明】
１  フレームパルス発生回路
２  第１の計数回路
３  倍速回路
４  第２の計数回路
５  パルス発生回路
【図１】
2004312086.tif 000003
【図２】
2004312086.tif 000004
【図３】
2004312086.tif 000005